(57)【特許請求の範囲】
【請求項１】
開放式石油ストーブＡの為の線材製のガードＢであって、
ガードＢは石油ストーブＡを載せる置台１の周縁部から側部ガード２を立設し、該側部ガード２の一部には石油ストーブ操作用の開口２ａを形成し、
かつ、側部ガード２は石油ストーブＡの上端よりも背を高く形成し、
側部ガード２の上端部で形成するガードＢの上部開放部の全体を覆う上部ガード３を取付けると共に、
石油ストーブＡのバーナ本体４から放射熱の受けにくい置台１に近い側部ガード２にテント倒壊センサー５を設け、
該テント倒壊センサー５の出力で作動する警報音発生器６を取付け、
警報音発生器６が倒壊したテントＣ内で燃焼中の石油ストーブＡの存在を知らせることを特徴とするテント暖房用石油ストーブガード。
【請求項２】
テント倒壊センサー５はストーブガードＢで確保する空間の燃焼ガスもしくは燃焼熱を検出するセンサーで構成し、
テント倒壊センサー５が消火した石油ストーブＡでは不検出となる請求項１記載のテント暖房用石油ストーブガード。
【請求項３】
テント倒壊センサー５の出力で作動して異常時に接点を切換える安全スイッチ７を設け、
該安全スイッチ７には石油ストーブＡの自動消火回路に接続する外部接続端子８を設け、
安全スイッチ７が石油ストーブＡの緊急消火起動信号を出力する請求項１記載のテント暖房用石油ストーブガード。
【発明の詳細な説明】
【０００１】
【産業上の利用分野】
この発明はテントの倒壊事故から石油ストーブ火災を防ぐテント暖房用の石油ストーブガードの構造に関するものである。
【０００２】
【従来の技術】
家庭内で使用する開放式石油ストーブの為に、石油ストーブの前方と側方、または石油ストーブの全周方向をガードするストーブガードが知られている。そして、このガードによって子供たちが石油ストーブにむやみに近づくことができなくなり、石油ストーブの熱によって火傷を起こしたり、石油ストーブにぶつかって転倒させてしまうという事故を防ぐことができる。
【０００３】
このガードは室内の壁際において使用する反射式の石油ストーブの為に、コ字形に前方と側方の３方向を覆い、背部は室内の壁を利用するものや、部屋の中央に置いて使用する対流形石油ストーブの為に、前後左右の４方向を覆うものがある。そして、ストーブガードは分解もしくは折畳み自在に形成し、使用中は各コーナを直角に固定することによって自立できるようになっている。
【０００４】
このようにストーブガードは家庭にあっては、子供が石油ストーブに触れないようにする為に使われているが、人の出入りの激しい事業所などでは、人がぶつかって石油ストーブを転倒させないようにする目的で使われており、この事業所の延長ともいえる仮設のテント内の暖房として石油ストーブを使う時には、同様に４方向を覆うストーブガードの使用がのぞましい。
【０００５】
【発明が解決しようとする課題】
寒冷地に設置された仮設のテントでは暖房手段をなくすわけにはゆかず、石油ストーブなどを持ち込んで暖房している。そして、暖房が必要な寒冷地に設置されるテントは、ある程度の強風に耐えると共に、多少の積雪にも耐える強度を持っている。
【０００６】
しかし、テントを設置した後で天候が急変して一晩に多量の積雪となる時は皆無ではなく、常に起こり得る状態といわなければならない。本来、このようなテント内では石油ストーブの使用そのものを禁止すべきであるが、実際問題として、代るべき安価な暖房器はなく、結局安全性は使用者に任されて、注意しながら使用しているのが現実である。
【０００７】
また、実際の積雪量はテントの耐久性を満たしている時でも、多量の水分を含んだ雪の場合には、思わぬ重量となってテントが倒壊することがあり、また、急な突風でテントを支えているロープが切れてテントが倒壊することもあり、もし、石油ストーブ使用中にこのような事故が起きると火災事故になるので、安全性を使用者に任せるだけでなく、なんらかの対応によって被害を最小限に押さえる工夫が必要である。
【０００８】
【課題を解決するための手段】
この発明はテントや石油ストーブは普通の市販のものを使いながら安全性を確保する提案にかかるものであり、開放式石油ストーブＡの為の線材製のガードＢであって、ガードＢは石油ストーブＡを載せる置台１の周縁部から側部ガード２を立設し、該側部ガード２の一部には石油ストーブ操作用の開口２ａを形成し、かつ、側部ガード２は石油ストーブＡの上端よりも背を高く形成し、側部ガード２の上端部で形成するガードＢの上部開放部の全体を覆う上部ガード３を取付けると共に、石油ストーブＡのバーナ本体４から放射熱の受けにくい置台１に近い側部ガード２にテント倒壊センサー５を設け、該テント倒壊センサー５の出力で作動する警報音発生器６を取付け、警報音発生器６が倒壊したテントＣ内で燃焼中の石油ストーブＡの存在を知らせることによって、直ちに消火作業に取りかかれるようにしたものである。
【０００９】
また、テント倒壊センサー５はストーブガードＢで確保する空間の燃焼ガスもしくは燃焼熱を検出するセンサーで構成し、テント倒壊センサー５が消火した石油ストーブＡでは不検出となることで、異常時のみの作動を可能としたものである。
【００１０】
また、市販の石油ストーブには対震自動消火装置を備えたものがあり、この中には感震スイッチの信号で消火するものがある。この発明ではテント倒壊センサー５の出力で作動して異常時に接点を切換える安全スイッチ７を設け、該安全スイッチ７には石油ストーブＡの自動消火回路に接続する外部接続端子８を設け、安全スイッチ７が石油ストーブＡの緊急消火起動信号を出力する構成とすれば安全性が向上する。
【００１１】
【作用】
仮設のテントＣでも一般の建物のように強度を増すことは可能であるが、当然使用する材料の重量アップは避けられず、可搬性能が著しく劣化するものであり、また、大幅なコストアップになる。この発明のテントＣ内で使用するストーブガードＢは側部の４方向だけでなく、側部ガード２に接続する置台１を設け、かつ、側部ガード２の上部に開放部を覆う上部ガード３を取付けたもので、テントＣが倒壊しても高温の石油ストーブは完全に保護できるようになった。
【００１２】
また、置台１に近い側部ガードの下部に燃焼ガスもしくは燃焼熱を検出するテント倒壊センサー５を設け、テント倒壊センサー５の出力で警報音発生器６が作動するから、万一、テントＣが倒壊するとガードＢで保護された狭い空間は、正常使用時と異なり急速に燃焼ガスである炭酸ガスや一酸化炭素ガスが充満し、また、狭い空間の温度が急速に上昇するから、正常の使用では全く作動しないガスセンサーや温度センサーによってテントＣの倒壊が検出でき、警報音によって燃焼中の石油ストーブの存在を知らせるものである。
【００１３】
また、テントＣが倒壊した時のショックで石油ストーブＡが消火すれば、石油ストーブＡの周囲をガードするだけで安全性が確保できるものであり、この場合、この発明のテント倒壊センサー５は作動せず、危険の予知をしないから倒壊後の後始末の優先順位を遅らせることができる。
【００１４】
【実施例】
図に示す実施例によってこの発明を説明すると、Ａは室内に燃焼ガスを排出する開放式石油ストーブ、Ｂは石油ストーブＡの周囲に配置したストーブガード、Ｃは暖房が必要な仮設のテントであり、テントＣ内で使用する石油ストーブＡはこの発明のストーブガードＢの中にセットして使用するものである。
【００１５】
１は開放式石油ストーブＡを載せる置台、２は置台１の周縁部から立設して開放式石油ストーブＡの全周囲に位置させた側部ガード、２ａは側部ガード２の一部に形成した石油ストーブＡを操作する為の開口であり、該側部ガード２は線材を交差して溶接などで固着して構成している。この時、線材の間隔が広くて直接石油ストーブＡが操作できる時は、この線材の間隔で開口２ａを形成する。
【００１６】
また、線材の間隔が狭い時には石油ストーブＡの操作ができないから、一部の線材を切欠いて大きな間隔を作って開口２ａを形成してもよく、開口２ａが大きい時には別に線材などで枠を作って開口２ａの蓋を形成し、この蓋を開閉して石油ストーブを操作する。
【００１７】
前記置台１は平板の一枚の金属板などで形成してもよいが、図に示す実施例では収納時の容積や重量を少なくする為に、細長金属板を交差して組合せて置台２を形成し、細長金属板の端を上に折曲げて側部ガード２と接続している。この時、細長金属板の端に側部ガード２を受ける段部１ａを設け、段部１ａに載せた側部ガード２の線材を固定板１ｂで挟着固定するものであり、収納時は置台１と側部ガード２とを分離する。
【００１８】
また、実施例の側部ガード２は正面と側部の一部、背面と側部の一部で構成する二つのコ字形の枠体で成形し、側部の端を板状の連結板２ｂに接続し、連結固定板２ｃで挟着固定している。
【００１９】
３は側部ガード２の上端部で形成するガードＢの上部開放部の全体を覆う線材製の上部ガード、３ａは上部ガード３と側部ガード２との連結部に形成した回動軸受け、３ｂは回動軸受け３ａの反対側の側部ガード２に位置する係止部であり、該側部ガード２はストーブガードＢ内に設置する石油ストーブＡよりも背を高くしており、石油ストーブＡと上部ガード３との間に一定の空間を形成している。
【００２０】
該上部ガード３は係止部３ｂ側を持上げることによって回動軸受け３ａを支点に開閉することができ、上部ガード３を開いた状態で、石油ストーブＡをストーブガードＢ内に設置し、使用時には上部ガード３を戻して、係止部３ｂが前記連結板２ｂの一部に係止して固定している。
【００２１】
４は開放式石油ストーブＡのバーナ本体であり、実施例に示す下部に油タンクを備えた対流形の芯上下式石油ストーブの場合は、石油ストーブＡの上部炎筒がバーナ本体４を形成し、また、図示せざる反射式の芯上下式石油ストーブでは、赤熱する燃焼筒がバーナ本体４を形成する。５は石油ストーブＡのバーナ本体４から放射熱の受けにくい置台１に近い側部ガード２に取付けたテント倒壊センサー、６はテント倒壊センサー５の作動時に出力を受けて鳴動する警報音発生器である。
【００２２】
ストーブガードＢの中に石油ストーブＡを設置して上記テントＣ内で使用している時に、何等かのアクシデントでテントＣが倒壊すると、テントＣはストーブガードＢの上部ガード３によって受け止められ、直接テントＣの素材が石油ストーブＡに触れることはなくなった。この為、テントＣが倒壊してもストーブガードＢによって最小限の空間は確保されており、石油ストーブＡのテントＣの素材がすぐに引火燃焼を起こすことはなくなった。
【００２３】
また、この発明のテント倒壊センサー５は燃焼ガスを検知する炭酸ガス検出器や一酸化炭素検出器や酸素センサーで構成しており、テントＣの倒壊によって石油ストーブＡの置かれた空間が極端に狭くなったから、燃焼を継続する石油ストーブＡから排気される燃焼ガスが充満すれば、炭酸ガスが増加し、酸素が不足し、不完全燃焼を起こして一酸化炭素が発生する。そして、これらの燃焼ガスの増加を直接もしくは間接的にガスセンサーを用いるテント倒壊センサー５で検出することによってテントＣの倒壊が検出でき、該テント倒壊センサー５の出力を受けて鳴動する警報音発生器６によって、倒壊したテントＣの中に燃焼中の石油ストーブＡがあることを知らせることができた。
【００２４】
また、この発明のテント倒壊センサー５は室温を検出する温度センサーで構成してもよく、テントＣの倒壊によって石油ストーブＡの置かれた空間が極端に狭くなると、燃焼を継続する石油ストーブＡによって急速に雰囲気温度が上昇するから、この温度上昇をサーミスタを用いるテント倒壊センサー５で検出することによってテントＣの倒壊が検出でき、テント倒壊センサー５の出力を受けて鳴動する警報音発生器６によって、倒壊したテントＣの中に燃焼中の石油ストーブＡがあることを知らせることができた。
【００２５】
この為、倒壊したテントＣの後始末の作業中に警報が発生すれば、石油ストーブＡが燃焼中で火災発生の恐れがあることがわかり、石油ストーブＡの消火作業を優先して行なうことによって、火災の発生を未然に防止できた。
【００２６】
一方、市販されている開放式石油ストーブは、ＪＩＳ規格によって対震自動消火装置の取付けが規定されており、この消火装置のセンサーとして所定の加速度が加えられた時に接点を切換えるスイッチを利用するものがある。即ち、図３の実施例を示す電気回路において、９は点火スイッチ、１０は点火器であり、バーナ本体４が燃焼可能状態で点火スイッチ９を閉路にすると、点火器１０が作動して燃焼を開始する。
【００２７】
１１は加速度センサーで構成する感震スイッチ、１２は消火手段であり、地震の発生を感震スイッチ１１が検出すると消火手段１２が作動して石油ストーブＢが自動消火する。
【００２８】
１３はテント倒壊センサー５や警報音発生器６などの為の乾電池電源、１４はテント倒壊センサー５の出力で作動するリレー回路を含む安全装置駆動手段、７は安全装置駆動手段１４の出力で切換るリレー接点で構成した安全スイッチ、８は安全スイッチ７の為の外部接続端子であり、図に示す感震スイッチ１１を備えた自動消火手段１２を用いる石油ストーブＡでは、外部接続端子８を使って安全スイッチ７と感震スイッチ１１との取付け端子を並列接続することができる。
【００２９】
この為、何等かのトラブルでテントＣのが倒壊した時に、ストーブガードＢで保護された狭い空間内の石油ストーブＡが燃焼を継続すると、テント倒壊センサー５が作動して安全スイッチ７を切換えて石油ストーブＡの消火手段１２を作動することができるようになり、石油ストーブＡが自動消火するから、テントＣが倒壊後に石油ストーブＡの消火作業を行なう必要がなくなり、他の作業を優先して行なうことができた。
【００３０】
尚、この発明のテント倒壊センサー５の取付け位置では、テントＣの自然換気率から正常燃焼状態ではこの部分で燃焼ガスの異常は検出できず、また、バーナ本体４の放射熱を受けにくいからこの部分の温度が異常に上昇することもない。しかし、長時間開放式石油ストーブＡを連続燃焼する時のような、正常でない使い方をした時には、酸素不足によって燃焼ガスが異常になったり、テントＣ内が異常高温に上昇することがあり、このような正常な使用でない時にもテント倒壊センサー５は作動するから、使用者にこの異常を警報音発生器６によって知らせることもできるようになった。
【００３１】
【発明の効果】
以上のようにこの発明ではテントＣの構造や、使用する開放式石油ストーブＡの構造には何等手を加えることなく、テントＣ内ではこの発明のストーブガードＢを使用するものとし、このストーブガードＢは側部の４方向だけでなく、側部ガード２に接続した置台１を設け、かつ、側部ガード２の上部に開放部を覆う上部ガード３を取付けたもので、テントＣが倒壊しても高温の石油ストーブＡはストーブガードＢによって完全に保護され、石油ストーブＡに倒壊したテントＣの素材が直接触れることなく、直ちに火災事故が発生しなくなったものである。
【００３２】
また、テントＣが倒壊してもストーブガードＢによって、石油ストーブＡの周囲に最小限の空間が確保できたから直ちに火災になることはない。しかし、この狭い空間を使って燃焼を継続すれば、急速に燃焼ガスである炭酸ガスや一酸化炭素ガスが充満し、また、狭い空間の温度が急速に上昇することによってやがて火災事故になる。
【００３３】
この発明ではストーブガードＢの置台１に近い側部ガード２の下部にテント倒壊センサー５を設け、倒壊したテントＣ内の石油ストーブＡによって発生する燃焼ガスの異常もしくは温度異常を検出したから、正常の使用では全く作動しないテント倒壊センサー５によって警報音発生器６が作動することになり、この警報音によって燃焼中の石油ストーブＡの存在がわかり、消火操作によって火災事故の発生を未然に防ぐことができるようになった。
【００３４】
一方、普通の石油ストーブＡには対震自動消火装置を備えており、テントＣの倒壊のショックで石油ストーブＡが消火することがあり、この時はストーブガードＢによって石油ストーブＡの周囲をガードするだけで安全性が確保できるものである。この発明のテント倒壊センサー５はこのような場合には作動せずに、警報音も発生しないから、倒壊後の一番始めに石油ストーブＡの消火の確認をする必要がなくなり、テントＣの倒壊後のたくさんある後始末の中で、他の必要作業を優先することでテントＣの倒壊の後始末がスムーズに行なうことができるようになった。
【００３５】
また、石油ストーブＡに備え付けられた対震自動消火装置には、電気回路を開閉する感震スイッチを用いて消火するものがあり、この発明のテント倒壊センサー５の出力として異常時に接点が切換る安全スイッチ７を設けたから、外部接続端子８を使って石油ストーブＡの自動消火回路を作動すれば、石油ストーブＡはテント倒壊センサー５の働きでテントＣの倒壊時には確実に自動的に消火できるようになり、安全性が高まったものである。
【００３６】
また、この発明のテント倒壊センサー５は異常温度を検出するセンサーであれば、長時間連続運転してテントＣ内が高温になった時にも作動するから、使用者に不必要な暖房を止めることを促すことができ、また、テント倒壊センサー５が燃焼ガスを検出するものでは、石油燃焼器の取扱いミスなどで異常燃焼が起きた時にも作動するから、警報音によって使用者は石油燃焼器の消火や、万一の時の避難ができるようになり、安全性が高まると共に使い易くなるものである。
【図面の簡単な説明】
【図１】この発明の実施例を示すストーブガードに石油ストーブをセットした正面図である。
【図２】この発明の実施例を示すストーブガードの斜視図である。
【図３】この発明の実施例を示すストーブガードと使用する石油ストーブの電気回路図の実施例である。
【図４】この発明となるストーブガードの使用例を示す一部切欠き斜視図である。
【符号の説明】
Ａ    開放式石油ストーブ
Ｂ    ストーブガード
Ｃ    テント
１    置台
２    側部ガード
２ａ  開口
３    上部ガード
４    バーナ本体
５    テント倒壊センサー
６    警報音発生器
７    安全スイッチ
８    外部接続端子
【図１】
0003598727.tif 000002
【図２】
0003598727.tif 000003
【図３】
0003598727.tif 000004
【図４】
0003598727.tif 000005